(57)【要約】【課題】従来の記録再生装置における編集では、ある映像の再生中にその映像に関連した異なる映像を参照することはできない。【解決手段】制御用データ領域と映像音声データ領域とが別々に形成された光ディスクにおいて、制御用データ領域内に汎用領域が存在する。この汎用領域にはリンク情報が記録され、このリンク情報を再生してリンク元の情報とリンク先の情報トを同時再生する。リンク情報３０は、リンク発生地点の時間情報３１、リンク先プレイリスト番号３２及びリンク先時間情報３３から構成される。リンク発生地点の時間情報３１は、リンク元の映像音声データにおけるリンク先の映像音声データへの関連付けを発生させる再生位置を特定するためのデータである。リンク先時間情報３３は、リンク先の映像音声データにおける再生開始位置を特定する。【選択図】図３
2008152871.tif 000002
【特許請求の範囲】
【請求項１】
第１のデータ領域と第２のデータ領域とを有する記録媒体を備える情報記録再生装置であって、
外部からの指示により、前記記録媒体の前記第１のデータ領域に記録された複数の映像情報信号のうちから第１の映像情報信号を１つ選択するとともに、この第１の映像情報信号と関連付ける第２の映像情報信号を１つ以上選択し、更に、外部からの指示により、前記第１の映像情報信号を再生する際の所定の再生位置である第１の位置を決定するとともに、この第１の位置と関連付ける前記第２の映像情報信号を再生する際の所定の再生位置である第２の位置を１つ以上決定する選択手段と、
前記第１の位置を示す第１の位置情報と、前記第２の位置を示す第２の位置情報と、前記第２の映像情報信号を特定する記録信号特定情報とを一組とする情報であるリンク情報を生成するリンク情報生成手段と、
前記リンク情報生成手段で生成された前記リンク情報を前記記録媒体の前記第２のデータ領域に記録する記録手段と、
外部からの指示により、前記記録媒体の前記第１のデータ領域に記録されている複数の映像情報信号のうちから第１の映像情報信号を１つ選択し再生する第１の映像情報信号再生手段と、
前記記録手段によって、前記記録媒体の前記第２のデータ領域に記録された前記リンク情報を再生するリンク情報再生手段と、
前記第１の映像情報信号再生手段によって前記第１の映像情報信号を再生する過程で、その再生位置が、前記リンク情報の前記第１の位置情報で示される位置に達したことを検出したときは、前記リンク情報の前記第２の位置情報で示される位置から前記第２の映像情報信号を再生する第２の映像情報信号再生手段と、
再生した前記第１の映像情報信号による映像と前記第２の映像情報信号による映像とを１画面内に表示するように、前記第１の映像情報信号と前記第２の映像情報信号とを合成した合成映像信号を生成して出力する合成出力手段と、
を有することを特徴とする情報記録再生装置。
【請求項２】
本装置の内部及び外部のうち少なくとも一方に、第１のデータ領域と第２のデータ領域とを有する複数の記録媒体を備える情報記録再生装置であって、
外部からの指示により、前記複数の記録媒体の前記第１のデータ領域に記録された複数の映像情報信号のうちから第１の映像情報信号を１つ選択するとともに、この第１の映像情報信号と関連付ける第２の映像情報信号を１つ以上選択し、更に、外部からの指示により、前記第１の映像情報信号を再生する際の所定の再生位置である第１の位置を決定するとともに、この第１の位置と関連付ける前記第２の映像情報信号を再生する際の所定の再生位置である第２の位置を１つ以上決定する選択手段と、
前記第１の位置を示す第１の位置情報と、前記第２の位置を示す第２の位置情報と、前記第２の映像情報信号を特定する記録信号特定情報と、前記第２の映像情報信号が記録されている前記記録媒体を特定する記録媒体特定情報とを一組とする情報であるリンク情報を生成するリンク情報生成手段と、
前記リンク情報生成手段で生成された前記リンク情報を、前記第１の映像情報信号が記録されている前記記録媒体の前記第２のデータ領域に記録する記録手段と、
外部からの指示により、前記複数の記録媒体の前記第１のデータ領域に記録されている複数の映像情報信号のうちから第１の映像情報信号を１つ選択し再生する第１の映像情報信号再生手段と、
前記記録手段によって、前記第１の映像情報信号が記録されている前記記録媒体の第２のデータ領域に記録された前記リンク情報を再生するリンク情報再生手段と、
前記第１の映像情報信号が記録されている前記記録媒体の第２のデータ領域に記録されている、前記第１の映像情報信号と関連付けられた、１つ以上の前記映像情報信号である第２の映像情報信号を特定する記録信号特定情報と、前記第１の映像情報信号の中の所定の位置を示す第１の位置情報と、前記第２の映像情報信号の中の所定の位置を示す第２の位置情報と、前記第２の映像情報信号が記録されている記録媒体を特定する記録媒体特定情報とを一組とするリンク情報を再生するリンク情報再生手段と、
前記第１の映像情報信号再生手段によって前記第１の映像情報信号を再生する過程で、その再生位置が、前記リンク情報の前記第１の位置情報で示される位置に達したことを検出したときは、前記リンク情報の前記記録媒体識別情報で示される記録媒体の前記第２の位置情報で示される位置から前記第２の映像情報信号を再生する第２の映像情報信号再生手段と、
再生した前記第１の映像情報信号による映像と前記第２の映像情報信号による映像とを１画面内に表示するように、前記第１の映像情報信号と前記第２の映像情報信号とを合成した合成映像信号を生成して出力する合成出力手段と、
を有することを特徴とする情報記録再生装置。
【請求項３】
第１のデータ領域と第２のデータ領域とを有する記録媒体を備える情報再生装置であって、
外部からの指示により、前記記録媒体の前記第１のデータ領域に記録されている複数の映像情報信号のうちから第１の映像情報信号を１つ選択し再生する第１の映像情報信号再生手段と、
前記記録媒体の第２のデータ領域に記録されている、前記第１の映像情報信号と関連付けられた、１つ以上の前記映像情報信号である第２の映像情報信号を特定する記録信号特定情報と、前記第１の映像情報信号を再生する際の所定の再生位置を示す第１の位置情報と、前記第２の映像情報信号を再生する際の所定の再生位置を示す第２の位置情報とを一組とするリンク情報を再生するリンク情報再生手段と、
前記第１の映像情報信号再生手段によって前記第１の映像情報信号を再生する過程で、その再生位置が、前記リンク情報の前記第１の位置情報で示される位置に達したことを検出したときは、前記リンク情報の前記第２の位置情報で示される位置から前記第２の映像情報信号を再生する第２の映像情報信号再生手段と、
再生した前記第１の映像情報信号による映像と前記第２の映像情報信号による映像とを１画面内に表示するように、前記第１の映像情報信号と前記第２の映像情報信号とを合成した合成映像信号を生成して出力する合成出力手段と、
を有することを特徴とする情報再生装置。
【請求項４】
本装置の内部及び外部のうち少なくとも一方に、第１のデータ領域と第２のデータ領域とを有する複数の記録媒体を備える情報再生装置であって、
外部からの指示により、前記複数の記録媒体の前記第１のデータ領域に記録されている複数の映像情報信号のうちから第１の映像情報信号を１つ選択し再生する第１の映像情報信号再生手段と、
前記第１の映像情報信号が記録されている前記記録媒体の第２のデータ領域に記録されている、前記第１の映像情報信号と関連付けられた、１つ以上の前記映像情報信号である第２の映像情報信号を特定する記録信号特定情報と、前記第１の映像情報信号を再生する際の所定の再生位置を示す第１の位置情報と、前記第２の映像情報信号を再生する際の所定の再生位置を示す第２の位置情報と、前記第２の映像情報信号が記録されている記録媒体を特定する記録媒体特定情報とを一組とするリンク情報を再生するリンク情報再生手段と、
前記第１の映像情報信号再生手段によって、前記第１の映像情報信号を再生する過程で、その再生位置が、前記リンク情報の前記第１の位置情報で示される位置に達したことを検出したときは、前記リンク情報の前記記録媒体識別情報で示される記録媒体の前記第２の位置情報で示される位置から前記第２の映像情報信号を再生する第２の映像情報信号再生手段と、
再生した前記第１の映像情報信号による映像と前記第２の映像情報信号による映像とを１画面内に表示するように、前記第１の映像情報信号と前記第２の映像情報信号とを合成した合成映像信号を生成して出力する合成出力手段と、
を有することを特徴とする情報再生装置。
【発明の詳細な説明】
【技術分野】
【０００１】
本発明は情報記録再生装置及び再生装置に係り、特に光ディスクやハードディスク等の記録及び再生が可能なシステムにおいて、編集作業可能な情報記録再生装置及び再生装置に関する。
【背景技術】
【０００２】
今日、個人で録画したテレビ番組をＣＭカットなどの編集を施して光ディスク等のランダムアクセスが容易な記録媒体に保存するというスタイルが広まっている。また、子供の成長の過程や結婚式など、ビデオカメラを利用して記録して残すというスタイルも広まっているが、これらの様なイベントを記録して残すユーザもその多くが編集を施し所望の被写体が多く残るような映像コンテンツを作成している。
【０００３】
また、書換え可能なＤＶＤ（Digital Versatile Disc）に記録されているＡＶストリームを、ＡＶストリームとは別の位置に記録されたプレイリストを用いることによって、ＡＶストリームの任意の区間を任意の順序で再生することもでき、また特殊再生効果をユーザが設定することで、特殊再生効果を付与したＡＶストリームの再生ができる記録再生装置が知られている（例えば、特許文献１参照）。
【０００４】
また、規格に準拠した共通情報と特定メーカーにのみ使用可能な特定情報とを記録媒体の互いに異なる領域に記録すると共に、共通情報と特定情報との関係を示すリンク情報も上記の記録媒体に記録し、特定メーカーの情報記録再生装置で上記の記録媒体を再生するときは、上記の共通情報を用いて処理を実行するが、特定な機能が必要な部分でのみリンク情報を用いて特定情報を呼び出して特殊処理を行う情報記録再生装置が知られている（例えば、特許文献２参照）。
【０００５】
一方、現在多くの機器の機能で採用されている編集方法として、映像コンテンツの削除やその一部分を消去する部分削除などが挙げられる。これらの編集方法を考えると、基本的に映像を“削る”作業により編集が成り立っていると捉えることができる。また、オリジナルの映像コンテンツを参照することによりヴァーチャルな新しい映像コンテンツを作成し、異なる映像コンテンツ同士を連続的に再生可能とさせる「結合」という編集方法も存在する。
【０００６】
【特許文献１】特開２００４−２００９３５号公報
【特許文献２】特開２００５−３４６９１７号公報
【発明の開示】
【発明が解決しようとする課題】
【０００７】
しかしながら、上記の特許文献１及び２記載の従来の記録再生装置や、光ディスクやハードディスク等の書換え可能型の記録媒体に記録再生が可能な従来の記録再生装置において、ある映像の再生中にその映像に関連した異なる映像を参照することはできない。また、上記の「結合」という編集方法では複数の映像を同時に見たり、単に参照映像として付加するような編集を行うことができない。
【０００８】
もし、複数の映像を関連付ける参照の様な編集方法が存在すれば、旅行番組を記録した映像コンテンツに独自に異なる映像コンテンツを関連付け、オリジナルの資料としてのコンテンツを作成することが可能となる。例えば、東大寺の大仏を観覧している映像に、大仏の作成工程を説明した歴史番組を関連付け、より理解を深めることを可能とさせるコンテンツが作成可能となる。
【０００９】
また、例えば子供の運動会の主催者が撮影し配布した記憶媒体に個人的に撮影した映像も保存し、例えばある競技の全体像を撮影した映像コンテンツにユーザが同時に撮影した異なるアングルの映像を関連付けることで、それらの映像を同時に見ることが可能になり、また、全体の雰囲気も残すことが可能となる。更に、友人同士で各々が撮影した映像を保存し合い同様に映像を関連付けることで共に子供の成長を共有できるようになるなど、より魅力的な映像コンテンツを作成することが可能となる。
【００１０】
本発明は以上の点に鑑みなされたもので、編集作業としての新しい機能として参照を導入するために、プレイリストに付随する汎用領域に異なるプレイリストの特定の位置情報を記載し、参照情報として異なるプレイリストの閲覧を可能とさせることで、ある映像の再生中その映像に関連した異なる映像を参照可能にさせる情報記録再生装置及び再生装置を提供することを目的とする。
【課題を解決するための手段】
【００１１】
上記の目的を達成するため、第１の発明は、第１のデータ領域と第２のデータ領域とを有する記録媒体を備える情報記録再生装置であって、外部からの指示により、記録媒体の第１のデータ領域に記録された複数の映像情報信号のうちから第１の映像情報信号を１つ選択するとともに、この第１の映像情報信号と関連付ける第２の映像情報信号を１つ以上選択し、更に、外部からの指示により、第１の映像情報信号を再生する際の所定の再生位置である第１の位置を決定するとともに、この第１の位置と関連付ける第２の映像情報信号を再生する際の所定の再生位置である第２の位置を１つ以上決定する選択手段と、第１の位置を示す第１の位置情報と、第２の位置を示す第２の位置情報と、第２の映像情報信号を特定する記録信号特定情報とを一組とする情報であるリンク情報を生成するリンク情報生成手段と、リンク情報生成手段で生成されたリンク情報を記録媒体の第２のデータ領域に記録する記録手段と、外部からの指示により、記録媒体の第１のデータ領域に記録されている複数の映像情報信号のうちから第１の映像情報信号を１つ選択し再生する第１の映像情報信号再生手段と、記録手段によって、記録媒体の第２のデータ領域に記録されたリンク情報を再生するリンク情報再生手段と、第１の映像情報信号再生手段によって第１の映像情報信号を再生する過程で、その再生位置が、リンク情報の第１の位置情報で示される位置に達したことを検出したときは、リンク情報の第２の位置情報で示される位置から第２の映像情報信号を再生する第２の映像情報信号再生手段と、再生した第１の映像情報信号による映像と第２の映像情報信号による映像とを１画面内に表示するように、第１の映像情報信号と第２の映像情報信号とを合成した合成映像信号を生成して出力する合成出力手段と、を有することを特徴とする。
【００１２】
また、上記の目的を達成するため、第２の発明は、本装置の内部及び外部のうち少なくとも一方に、第１のデータ領域と第２のデータ領域とを有する複数の記録媒体を備える情報記録再生装置であって、外部からの指示により、複数の記録媒体の第１のデータ領域に記録された複数の映像情報信号のうちから第１の映像情報信号を１つ選択するとともに、この第１の映像情報信号と関連付ける第２の映像情報信号を１つ以上選択し、更に、外部からの指示により、第１の映像情報信号を再生する際の所定の再生位置である第１の位置を決定するとともに、この第１の位置と関連付ける第２の映像情報信号を再生する際の所定の再生位置である第２の位置を１つ以上決定する選択手段と、第１の位置を示す第１の位置情報と、第２の位置を示す第２の位置情報と、第２の映像情報信号を特定する記録信号特定情報と、第２の映像情報信号が記録されている記録媒体を特定する記録媒体特定情報とを一組とする情報であるリンク情報を生成するリンク情報生成手段と、リンク情報生成手段で生成されたリンク情報を、第１の映像情報信号が記録されている記録媒体の第２のデータ領域に記録する記録手段と、外部からの指示により、複数の記録媒体の第１のデータ領域に記録されている複数の映像情報信号のうちから第１の映像情報信号を１つ選択し再生する第１の映像情報信号再生手段と、記録手段によって、第１の映像情報信号が記録されている記録媒体の第２のデータ領域に記録されたリンク情報を再生するリンク情報再生手段と、第１の映像情報信号が記録されている記録媒体の第２のデータ領域に記録されている、第１の映像情報信号と関連付けられた、１つ以上の映像情報信号である第２の映像情報信号を特定する記録信号特定情報と、第１の映像情報信号の中の所定の位置を示す第１の位置情報と、第２の映像情報信号の中の所定の位置を示す第２の位置情報と、第２の映像情報信号が記録されている記録媒体を特定する記録媒体特定情報とを一組とするリンク情報を再生するリンク情報再生手段と、第１の映像情報信号再生手段によって第１の映像情報信号を再生する過程で、その再生位置が、リンク情報の第１の位置情報で示される位置に達したことを検出したときは、リンク情報の記録媒体識別情報で示される記録媒体の第２の位置情報で示される位置から第２の映像情報信号を再生する第２の映像情報信号再生手段と、再生した第１の映像情報信号による映像と第２の映像情報信号による映像とを１画面内に表示するように、第１の映像情報信号と第２の映像情報信号とを合成した合成映像信号を生成して出力する合成出力手段と、を有することを特徴とする。
【００１３】
また、上記の目的を達成するため、第３の発明は、第１のデータ領域と第２のデータ領域とを有する記録媒体を備える情報再生装置であって、外部からの指示により、記録媒体の第１のデータ領域に記録されている複数の映像情報信号のうちから第１の映像情報信号を１つ選択し再生する第１の映像情報信号再生手段と、記録媒体の第２のデータ領域に記録されている、第１の映像情報信号と関連付けられた、１つ以上の映像情報信号である第２の映像情報信号を特定する記録信号特定情報と、第１の映像情報信号を再生する際の所定の再生位置を示す第１の位置情報と、第２の映像情報信号を再生する際の所定の再生位置を示す第２の位置情報とを一組とするリンク情報を再生するリンク情報再生手段と、第１の映像情報信号再生手段によって第１の映像情報信号を再生する過程で、その再生位置が、リンク情報の第１の位置情報で示される位置に達したことを検出したときは、リンク情報の第２の位置情報で示される位置から第２の映像情報信号を再生する第２の映像情報信号再生手段と、再生した第１の映像情報信号による映像と第２の映像情報信号による映像とを１画面内に表示するように、第１の映像情報信号と第２の映像情報信号とを合成した合成映像信号を生成して出力する合成出力手段と、を有することを特徴とする。
【００１４】
また、上記の目的を達成するため、第４の発明は、本装置の内部及び外部のうち少なくとも一方に、第１のデータ領域と第２のデータ領域とを有する複数の記録媒体を備える情報再生装置であって、外部からの指示により、複数の記録媒体の第１のデータ領域に記録されている複数の映像情報信号のうちから第１の映像情報信号を１つ選択し再生する第１の映像情報信号再生手段と、第１の映像情報信号が記録されている記録媒体の第２のデータ領域に記録されている、第１の映像情報信号と関連付けられた、１つ以上の映像情報信号である第２の映像情報信号を特定する記録信号特定情報と、第１の映像情報信号を再生する際の所定の再生位置を示す第１の位置情報と、第２の映像情報信号を再生する際の所定の再生位置を示す第２の位置情報と、第２の映像情報信号が記録されている記録媒体を特定する記録媒体特定情報とを一組とするリンク情報を再生するリンク情報再生手段と、第１の映像情報信号再生手段によって、第１の映像情報信号を再生する過程で、その再生位置が、リンク情報の第１の位置情報で示される位置に達したことを検出したときは、リンク情報の記録媒体識別情報で示される記録媒体の第２の位置情報で示される位置から第２の映像情報信号を再生する第２の映像情報信号再生手段と、再生した第１の映像情報信号による映像と第２の映像情報信号による映像とを１画面内に表示するように、第１の映像情報信号と第２の映像情報信号とを合成した合成映像信号を生成して出力する合成出力手段と、を有することを特徴とする。
【発明の効果】
【００１５】
本発明によれば、記録媒体の第１のデータ領域に記録された第１の映像情報信号を再生する過程で、その再生位置が、その第１の映像情報信号と関連付ける第２の映像情報信号を再生する第１の位置に達したことをリンク情報から検出したときは、そのリンク情報で示される第２の位置から第２の映像情報信号を再生し、再生した第１の映像情報信号による映像と第２の映像情報信号による映像とを１画面内に表示するようにしたため、例えば個人で録画したテレビ番組や撮影した映像に関する第１の映像情報信号と、参照用の他の映像に関する第２の映像情報信号とを関連させて同時表示ができる。
【００１６】
また、本発明によれば、複数の映像情報信号を関連付けることにより、複数の関連した映像情報信号を同時に再生することができるため、保存したコンテンツの視聴の幅を広げることができ、より魅力的な映像コンテンツを作成することができる。
【発明を実施するための最良の形態】
【００１７】
次に、本発明の実施の形態について図面と共に説明する。図１は本発明になる情報記録再生装置の第１の実施の形態のブロック図を示す。この情報記録再生装置２は、ある家庭に存在する光ディスク１に対して映像及び音声を光学的に記録する機能と、光ディスク１に記録されている映像及び音声を光学的に再生する再生機能の両方を有する記録再生装置で、外部機器群３に対し映像を及び音声を出力可能である。
【００１８】
情報記録再生装置２は、ユーザからの命令をリモートコントローラ（以下、リモコンと略す）４から受け付け、その命令を中央処理装置（ＣＰＵ）５に入力する。ＣＰＵ５は命令に従い、ピックアップ６をコントロールして光ディスク１からストリームデータやストリーム制御用データを取得する。ストリーム制御用データのうち、リンク情報に関するデータは、メモリ７に蓄積される。取得されたストリームデータは、ストリームバッファ８または９に一時的に蓄積され、デコーダ１０または１１で復号されて映像化される。映像化されたデータは、外部出力コントローラ１２によって出力先をコントロールされ、外部機器群３に出力される。
【００１９】
図２は本発明に適用される記録媒体におけるデータ構造の一例の説明図を示す。同図において、記録媒体の一例である光ディスクのデータ領域２０は、大別すると、制御用データ領域２１と映像音声データ領域２２とから構成され、この制御用データ領域２１内に存在するプレイリスト管理情報領域２３に付随する形で汎用領域２４が存在する。プレイリスト管理情報は、光ディスク上の映像音声データ領域２２に記録された情報信号である映像音声データの再生単位毎の記録順に対応した番号や記録位置を示すプレイリストが記録されている。
【００２０】
図３は本発明における記録媒体の汎用領域２４に記録されるリンク情報の一例の構造を示す。同図において、リンク情報３０は、図２の汎用領域２４に記録されるデータで、リンク発生地点の時間情報３１、リンク先プレイリスト番号３２及びリンク先時間情報３３から構成される。光ディスクには図２に示した映像音声データ領域２２に映像音声データが再生単位毎に記録されており、上記のリンク発生地点の時間情報３１は、その中の一つの再生単位のリンク元の第１の映像音声データにおけるリンク先の別の再生単位の第２の映像音声データへの関連付けを発生させる再生位置を特定するためのリンク発生時間データである。また、上記のリンク先プレイリスト番号３２は、上記のリンク元の第１の映像音声データと関連付けられた上記のリンク先の第２の映像音声データを特定するためのデータである。
【００２１】
更に、上記のリンク先時間情報３３は、第１の映像音声データに対しリンク発生地点の時間情報３１により関連付けられた第２の映像音声データにおける再生開始位置を特定するための再生開始時間特定データである。ここで、映像ストリームの管理データは規格上一般的に、ストリームデータファイルの先頭から或る映像単位（ＧＯＰ）の先頭までのデータ量情報と、その映像単位（ＧＯＰ）の再生時間情報（ＰＴＳ）が保存される。そのため、例えばある再生開始時間が「先頭から１０分」の地点であれば、保存している管理データの再生時間情報（ＰＴＳ）を利用して、管理データの先頭時間に１０分を加算した時間で再生開始時間情報を取得することが可能である。従って、上記の管理データよりリンク先時間情報３３が示す再生開始時間に対応した再生開始位置を特定することができる。
【００２２】
次に、図４以降のフローチャートに沿って本実施の形態の処理を説明する。まず、図４のフローチャートを用いて図１の装置におけるリンク情報の作成手順を説明する。図１のＣＰＵ５はリモコン４からの指示に従い、ピックアップ６を制御して光ディスク１のリンク情報を作成したいプレイリスト（リンク元プレイリスト）の再生を開始する（ステップＳ１）。これにより、リンク元プレイリストで指定された光ディスク１の記録コンテンツのＡＶストリームデータは、ピックアップ６により再生され、ＣＰＵ５を介してストリームバッファ８に一時保持された後、読み出されてデコーダ１０により復号され、得られた復号映像及び音声信号が外部出力コントローラ１２を介して外部機器群３に供給されて表示及び発音されている。
【００２３】
この表示画像を見ながらユーザがリモコン４を操作してリンク情報を添付したいリンク元地点でポーズを実行する（ステップＳ２）。この時、このリンク元プレイリストの番号とリンク元地点の時間情報をメモリ７に保存する（ステップＳ３）。これにより、外部機器群３には光ディスク１から読み出したリンク元地点の画像が静止表示されている。
【００２４】
次に、保存したリンク元から参照を実行したいリンク先のプレイリストのプレイリスト番号をメモリ７に保存し、そのプレイリストの再生を開始する（ステップＳ４）。このリンク先のプレイリストは、光ディスク１のリンク元プレイリストの記録データ領域とは異なるデータ領域に記録されている。このリンク先プレイリスト番号で示されるプレイリストのコンテンツのストリームデータは、ＣＰＵ５を介してストリームバッファ９に一時保持された後、読み出されてデコーダ１１により復号され、得られた復号映像及び音声信号が外部出力コントローラ１２を介して外部機器群３に供給されて表示及び発音される。
【００２５】
本実施の形態では、図１に示すように、情報記録再生装置２はストリームバッファ８、９及びデコーダ１０、１１を少なくとも２セット保持しているため、リンク元プレイリストの再生をポーズしたままリンク先プレイリストを再生することが可能となる。リンク先プレイリストの表示画像を見ながら、その再生画像がリンク先地点に到達した時点でユーザがリモコン４を操作して、その再生のポーズを実行する（ステップＳ５）。この時、ＣＰＵ５はリンク先地点での時間情報を取得する（ステップＳ６）。
【００２６】
続いて、情報記録再生装置２のＣＰＵ５は、メモリ７に保存したリンク元情報と、ステップＳ６で取得したリンク先地点での時間情報（リンク発生地点の時間情報）を利用してリンク元プレイリストに属する図３に示した構造のリンク情報３０を作成する（ステップＳ７）。作成したリンク情報３０は、情報記録再生装置２の駆動シーケンスに従い、ピックアップ６により光ディスク１の制御用データ領域２１内のプレイリスト管理情報領域２３に属した汎用領域２４に書き込まれる（ステップＳ８）。
【００２７】
次に、図５のフローチャートを利用して、図１の情報記録再生装置２の再生時のシーケンスを説明する。ユーザによってリモコン４等を用いて再生命令が発行されると（ステップＳ１０）、情報記録再生装置２内ではその命令を受理し（ステップＳ１１）、光ディスク１の制御用データ領域２１のプレイリスト管理情報用領域２３から指示されたプレイリストの管理情報を読み出す（ステップＳ１３）。
【００２８】
同時に、このプレイリスト管理情報の汎用領域２４にリンク情報３０が存在する場合は、そのリンク情報３０を読み出してメモリ７に保存し（ステップＳ１４）、メインプロセスにおいて再生を開始する（ステップＳ１５）。再生開始後、ＣＰＵ５は再生経過時間を監視し、その時間がメモリ７に保存されたリンク情報３０中のリンク発生地点の時間情報３１に達するのを検知すると（ステップＳ１６）、ユーザに対してリンク情報３０が存在することを提示する（ステップＳ１７）。ユーザは、情報記録再生装置２からのリンク情報３０の存在の提示に従い、そのリンクによる参照を実行するか否かを判断する（ステップＳ１８）。
【００２９】
ここで、リンク先を参照する場合、情報記録再生装置２のＣＰＵ５はユーザ操作によるリモコン４からリンク実行命令を受理し（ステップＳ１９、ステップＳ２０）、メモリ７に保存したデータから同時に再生するプレイリストの情報を取得する。この時、ユーザはその参照データをどのように参照するかを選択可能で、情報記録再生装置２は参照方法の指示を受ける（ステップＳ２１）。ピクチャ・イン・ピクチャ（Picture in Picture;ＰｉＰ）としての参照、またはリンク元の映像を一時停止し参照画面を通常再生などの参照方法の指示命令に従い、ＣＰＵ５は外部出力コントローラ１２に対してＰｉＰ実行または出力画面の切り替え等の命令を出す（ステップＳ２２）。
【００３０】
そして、リンク先映像の再生をリンク先再生実行プロセスにおいて開始する（ステップＳ２３）。リンク先プレイリストのＡＶストリームは、光ディスク１のリンク元プレイリストの記録データ領域とは異なる指定された位置のデータ領域から再生されて入力され、ＣＰＵ５、ストリームバッファ９及びデコーダ１１を介して外部出力コントローラ１２に供給される。
【００３１】
外部出力コントローラ１２は、デコーダ１０から供給されるリンク元プレイリストの復号画像及び音声信号と、デコーダ１１から供給されるリンク先プレイリストの復号画像及び音声信号とを、前述したステップＳ２２での命令に従い、ＰｉＰの場合は、両者を混合して一画面の映像信号として出力し、出力画面の切り替えの場合は、デコーダ１１から供給されるリンク先プレイリストの復号画像及び音声信号だけを出力する。
【００３２】
ステップＳ２３のリンク先プレイリストの再生開始後、その再生は終了地点若しくはユーザによる停止命令により停止し（ステップＳ２４）、停止後は外部出力コントローラ１２の出力系統の設定をリンク実行前の状態に戻してリンク先再生を終了する（ステップＳ２５）。そして、リンク先実行プロセスは、リンク先の再生が終了したことを示すために、メインプロセスに終了を伝えるリンク先再生終了フラグをオンとする（ステップＳ２６）。
【００３３】
メインプロセスは、メインプロセスのプレイリストの再生（リンク元プレイリストのコンテンツの再生）終了を検知すると（ステップＳ２７）、リンク先再生終了フラグの状態をチェックし（ステップＳ２８）、リンク先再生終了フラグがオンであるときは、リンク先の再生が終了していると判断してプレイリストの再生を終了する。リンク先再生終了フラグがオフであり、リンク先の再生が継続している場合、リンク先再生終了フラグがオンに変化するまで待ち、再生を終える。
【００３４】
次に、図６〜図８を参照して本発明の具体例について説明する。運動会などをビデオカメラで撮影する時、撮影者によってその被写体は必然的に変わる。そのため、運動会などにおいてある競技の全体を例えば主催者が撮影した映像が、図６に示すように競技者４１、４３の一部、競技者４２の全部からなる映像であり、所望の被写体が競技者４１又は競技者４３である場合は、所望の被写体である競技者４１又は競技者４３の全部の画像が映っていないが、図７に示すように個人的に撮影した映像にのみ所望の競技者４３、４１の全体画像が４３’、４１’で示すように映っているという状況が発生する場合がある。
【００３５】
そこで、図６に示した競技の全体を撮影した映像を保存した書き換え型若しくは追記可能な書き込み型光ディスクを競技主催者が参加者に配布し、この光ディスクを入手した参加者が保持する同競技の撮影映像を関連させて保存することにより、より魅力的な映像を残すことが可能となる。この際、本発明によれば、図８に示すように各々のプレイリスト間に時間の関連は必要なく、例えば図８（Ａ）に示す競技全体を撮影したプレイリスト１に、同図（Ｂ）、（Ｃ）に示す異なる映像プレイリスト２及びプレイリスト３を参照映像として保存することが可能となる。
【００３６】
このように、本実施の形態によれば、プレイリストの管理情報に付随する汎用領域２４に、リンクを発生させる地点の時間情報３３、リンク先プレイリストを特定する情報３２及びリンク発生地点の時間情報３１を一組とするリンク情報３０を記録して再生することにより、個人で録画したテレビ番組や撮影した映像に参照用の他のプレイリストを関連させることができ、複数のプレイリストを関連付けることにより、複数の関連したプレイリストを同時に再生することが可能となり、保存したコンテンツの視聴の幅を広げることができる。
【００３７】
次に、本発明の情報記録再生装置の第２の実施の形態について説明する。図９は本発明になる情報記録再生装置の第２の実施の形態のブロック図を示す。同図中、図１と同一構成部分には同一符号を付し、その説明を省略する。図９の情報記録再生装置１４は、ある家庭に存在する光ディスク１に対して映像及び音声を光学的に記録したり、あるいは光ディスク１に記録されている映像及び音声を光学的に再生することが可能な記録再生装置で、外部機器群３に対し映像を及び音声を出力可能である点は第１の実施の形態の情報記録再生装置２と同様であるが、情報記録再生装置２ではリンク先プレイリストが同一の光ディスク１上に存在するが、この情報記録再生装置１４は、リンク先再生単位がリンク元再生単位と異なる記録媒体に存在する場合の例である。
【００３８】
すなわち、情報記録再生装置１４は、リンク先プレイリストが光ディスク１ではなく、ＨＤＤ（ハードディスク）１５やリムーバブルフラッシュメモリ１６に保存されている。逆に、リンク元再生単位がＨＤＤ１５やリムーバブルフラッシュメモリ１６に存在し、リンク先が光ディスク１や、ＨＤＤ１５やリムーバブルフラッシュメモリ１６である場合も考えられる。
【００３９】
次に、本発明の情報記録再生装置の第３の実施の形態について説明する。図１０は本発明になる情報記録再生装置の第３の実施の形態のブロック図を示す。同図中、図１と同一構成部分には同一符号を付し、その説明を省略する。本実施の形態の情報記録再生装置１７は、リンク先再生単位が外部入出力機器群５０に存在する場合であり、イーサネット（登録商標）、ＩＥＥＥ１３９４またはＵＳＢ等の外部入出力系統をコントロールする外部入出力コントローラ１８を介して、外部入出力機器群５０であるパーソナルコンピュータ５１、ビデオカメラ５２、異なるブルーレイディスクレコーダなどのビデオデッキ５３に接続され、リンク先情報を取得する。
【００４０】
このように図９や図１０の情報記録再生装置１４や１７のようにリンク先がリンク元と別の記録媒体に存在する場合、リンク元再生単位管理情報の汎用領域に保存されるリンク情報３４は、図１１に示すように、図３に示したリンク情報３０に記録媒体毎にユニークな情報３５を付加した形として保存される。この記録媒体毎にユニークな情報３５は、リンク先のストリームデータが記録されている記録媒体を特定するための情報である。また、リンク情報３４は、リンク元のデータストリームが記録されている記録媒体の汎用領域に記録される。
【００４１】
次に、図１２等を参照して本発明の実施の形態のうち、複数の再生単位を外部に出力する場合を説明する。図１２は本発明になる情報記録再生装置の第４の実施の形態のブロック図を示す。同図中、図１と同一構成部分には同一符号を付し、その説明を省略する。本実施の形態は、図１に示した情報記録再生装置２の外部機器群３として、テレビジョン受像機６１及び６２を接続した例である。一般的な記録再生機は複数のデコーダ及び出力手段を有する場合が考えられるが、ここでは情報記録再生装置２は内部に２つのデコーダ１０及び１１を保持しているため、同時に２本の再生単位を出力することが可能である。このため、リンク元プレイリスト及びリンク先プレイリストを各々のテレビジョン受像機６１及び６２に出力することが可能である。
【００４２】
リンク先プレイリストが複数存在する場合、リンク元プレイリストを含めた複数のプレイリストが再生候補となるが、図１２に示す情報記録再生装置２においては２出力のみが可能であるため、再生候補の中から実際に画面に出力するプレイリストを２本選択することとなる。
【００４３】
例として、リンク元プレイリストに２つのリンク先プレイリストが関連付けられている場合の本実施の形態の再生シーケンスを、図１３のフローチャート及び図１４のタイミングチャートを用いて説明する。まず、図１４（Ａ）に模式的に示すように時刻ｔ１でユーザのリモコン４の操作によりリンク元プレイリストの再生単位の再生が開始されると（図１３のステップＳ３１）、図１２のＣＰＵ５は光ディスク１からピックアップ６により再生したリンク元プレイリストのストリームデータを、ストリームバッファ８へ出力すると共に、そのリンク元プレイリストに関連付けられた２つのリンク先プレイリスト（リンク先１及び２）の存在を光ディスク１の所定の制御用データ領域から読み出した信号に基づいて検出し（図１３のステップＳ３２）、ユーザのリモコン４の操作によるリンク先１及び２の再生命令をＣＰＵ５が受信したかどうかを監視する（図１３のステップＳ３３）。
【００４４】
図１２のストリームバッファ８で一時蓄積されたリンク元プレイリストの再生ストリームデータは、デコーダ１０で復号処理されて映像信号及び音声信号とされた後、外部出力コントローラ１２を介してテレビジョン受像機６１に供給されて表示及び発音される。リンク先１及び２の再生命令をＣＰＵ５が受信しない場合は、リンク元プレイリストの再生をそのまま続行し（図１３のステップＳ３４）、その状態でＣＰＵ５は再生位置がリンク元プレイリストのコンテンツ終了地点に達するか、ユーザ操作による終了命令を受信するまで再生を継続する（図１３のステップＳ３５、Ｓ３３、Ｓ３４）。
【００４５】
一方、リンク先１及び２の再生命令をＣＰＵ５が受信すると、ＣＰＵ５はピックアップ６を介して光ディスク１よりリンク先１及び２の情報を読み出す再生準備を実施する（図１３のステップＳ３６）。再生準備終了後、図１４（Ａ）に模式的に示すように時刻ｔ２でリンク元の再生をポーズし（図１３のステップＳ３７）、外部出力コントローラ１２の出力を２台のテレビジョン受像機６１及び６２への出力に切り替え（図１３のステップＳ３８）、図１４（Ｂ）、（Ｃ）にハイレベルで模式的に示すように、光ディスク１に記録されているリンク先１及び２のストリームデータの再生を開始する（図１３のステップＳ３９）。
【００４６】
なお、上記のリンク元の再生のポーズ実行時には、ＣＰＵ５は光ディスク１上のリンク元のストリームデータのポーズ位置の情報をメモリ７に保存すると共に、ストリームバッファ８をリセットする。また、リンク先１及び２のストリームデータの再生開始により、光ディスク１からピックアップ６により再生されたリンク先１のストリームデータは、ストリームバッファ８、デコーダ１０、外部出力コントローラ１２を介してテレビジョン受像機６１でその映像の表示及び音声の発音が開始されると同時に、光ディスク１からピックアップ６により再生されたリンク先２のストリームデータは、ストリームバッファ９、デコーダ１１、外部出力コントローラ１２を介してテレビジョン受像機６２でその映像の表示及び音声の発音が開始される。
【００４７】
なお、一つのピックアップ６でリンク先１及び２の２つの再生単位のストリームデータを再生するために、ＣＰＵ５はピックアップ６から順次に再生される２つの再生単位の再生ストリームデータを通常の再生速度より高速の所定の速度でストリームバッファ８、９に順次に転送して蓄積させた後、それぞれ同時に通常の速度で読み出させる。
【００４８】
その状態で、図１４（Ｃ）にローレベルで模式的に示すように、時刻ｔ３でリンク先２の再生終了地点に到達、またはユーザからの停止命令が発生すると（図１３のステップＳ４０）、ＣＰＵ５はポーズしていたリンク元の再生準備を実行する（図１３のステップＳ４１）。この再生準備では、ＣＰＵ５はリンク先２のストリームデータを蓄積していたストリームバッファ９をリセットすると共に、メモリ７に保存しておいたリンク元のストリームデータのポーズ位置情報に基づいて、ピックアップ６による光ディスク１のリンク元ストリームデータのポーズ位置からの再生ストリームデータをストリームバッファ９へ出力する準備を行う。そして、この再生準備の終了と共に、図１４（Ａ）にハイレベルで示すようにリンク元ストリームデータのポーズ位置からの再生を再開する（図１３のステップＳ４２）。再生再開されたリンク元ストリームデータは、ストリームバッファ９に蓄積された後、デコーダ１１、外部コントローラ１２を介してテレビジョン受像機６２に供給されて、その映像の表示とその音声の発音とが行われる。
【００４９】
なお、外部への出力として、２台のテレビジョン受像機６１及び６２への出力のほかに、テレビ受像機以外の機器への出力も考えられる。図１５はその場合の本発明の第５の実施の形態のブロック図を示す。同図中、図１、図１２と同一構成部分には同一符号を付し、その説明を省略する。図１５では、外部機器群３の要素として、一般的に前記のテレビジョン受像機６１やパーソナルコンピュータ６３、更にはブルーレイディスクレコーダなどのビデオデッキ、ビデオカメラ等が考えられるが、ここではテレビジョン受像機６１やパーソナルコンピュータ６３を示している。外部出力コントローラ１２は、通常のビデオ出力と共にイーサネット（登録商標）、ＩＥＥＥ１３９４またはＵＳＢ等の外部入出力系統を保持し、そのいずれかを利用してテレビジョン受像機６１やパーソナルコンピュータ６３にリンク元若しくはリンク先の映像を出力可能である。
【図面の簡単な説明】
【００５０】
【図１】本発明の情報記録再生装置の第１の実施の形態のブロック図である。
【図２】本発明に適用される記録媒体におけるデータ構造の一例の説明図である。
【図３】本発明における記録媒体の汎用領域に記録されるリンク情報の一例の構造図である。
【図４】図１の装置におけるリンク情報の作成手順を説明するフローチャートである。
【図５】図１の装置の再生時のシーケンスを説明するフローチャートである。
【図６】本発明におけるリンク元プレイリストの画像の一例である。
【図７】本発明におけるリンク元プレイリストとリンク先プレイリストの関係の一例を示す図である。
【図８】リンク先プレイリストの画像の各例を示す図である。
【図９】本発明の情報記録再生装置の第２の実施の形態のブロック図である。
【図１０】本発明の情報記録再生装置の第３の実施の形態のブロック図である。
【図１１】リンク先がリンク元と別の記録媒体に存在する場合の実施の形態３に示したリンク情報の一例の構造図である。
【図１２】本発明の情報記録再生装置の第４の実施の形態のブロック図である。
【図１３】図１２の装置の動作説明用フローチャートである。
【図１４】図１２の装置の動作説明用タイミングチャートである。
【図１５】本発明の情報記録再生装置の第５の実施の形態のブロック図である。
【符号の説明】
【００５１】
１  光ディスク
２、１４、１７  情報記録再生装置
３  外部機器群
４  リモートコントローラ（リモコン）
５  中央処理装置（ＣＰＵ）
６  ピックアップ
７  メモリ
８、９  ストリームバッファ
１０、１１  デコーダ
１２  外部出力コントローラ
１５  ＨＤＤ
１６  リムーバブルフラッシュメモリ
１８  外部入出力コントローラ
２０  光ディスクに保存されるデータの構造
２１  制御用データ領域
２２  映像音声データ領域
２３  プレイリスト管理情報用領域
２４  汎用領域
３０、３４  リンク情報
５０  外部入出力機器群
５１、６３  パーソナルコンピュータ
５２  ビデオカメラ
５３  ビデオデッキ
６１、６２  テレビジョン受像機
【図１】
2008152871.tif 000003
【図２】
2008152871.tif 000004
【図３】
2008152871.tif 000005
【図４】
2008152871.tif 000006
【図５】
2008152871.tif 000007
【図６】
2008152871.tif 000008
【図７】
2008152871.tif 000009
【図８】
2008152871.tif 000010
【図９】
2008152871.tif 000011
【図１１】
2008152871.tif 000012
【図１２】
2008152871.tif 000013
【図１３】
2008152871.tif 000014
【図１４】
2008152871.tif 000015
【図１５】
2008152871.tif 000016
【図１０】
2008152871.tif 000017